(57)【要約】【課題】本発明は、身体に滞電している静電気を地面にアースすること、及び足裏の湾曲を形成する中足骨を矯正することを目的とした靴用の鋲に関する。【解決手段】導電ゴム性であって、Ｔ字形に成形された雄型と雌型とにより成り、▲１▼雌型Ｔ字体の縦線部を中空状とし、しかも、この縦線部を雄型Ｔ字体の縦線部よりα長くすること、▲２▼雄型Ｔ字体を逆形に使用して雌型Ｔ字体の縦線部の中空状内に雄型Ｔ字体の縦線部を挿入して一体とする。▲３▼靴の中央に穴を明け、中底側から雌型Ｔ字体を表底側から雄型Ｔ字体を挿入して一体の鋲としたこと、▲４▼雌型Ｔ字体の横線部の頂面を円弧状に形成すること、上記▲１▼〜▲４▼の構成を有する靴用の静電気防止鋲。【選択図】  図２
2004344464.tif 000002
【特許請求の範囲】
【請求項１】
導電性ゴム製であって、Ｔ字形に成形された雄型と雌型より成り、雌型Ｔ字体の縦線部を中空状に形成し、該雌型Ｔ字体の縦線中空部に雄型Ｔ字体の縦線部を逆形に使用して挿入嵌合し、靴底中央の中底側と本底側の上下より貫通して装着することを特徴とした靴用の静電気防止鋲。
【請求項２】
雌型Ｔ字体の中空状の縦線部の長さを、雄型Ｔ字体の縦線部より長く形成したことを特徴とした請求項１に記載の靴用の静電気防止鋲。
【請求項３】
雄雌Ｔ字体の横線部の頂面をそれぞれ円弧状に形成し、足裏の中足骨を矯正すること、及び地面への接触をよくすることを特徴とした請求項１に記載の靴用の静電気防止鋲。
【請求項４】
雄雌両Ｔ字体の縦線部の中位置に係止用の凹凸を設け、両Ｔ字体の嵌合を密接にすることを特徴とした請求項１に記載の靴用の静電気防止鋲。
【発明の詳細な説明】
【０００１】
【発明が属する技術分野】
本発明は、導電性ゴム製の鋲を靴の中底部と本底部に設けることで、身体に滞電している静電気を地面にアースすること、及び足裏の湾曲を形成する中足骨を矯正する靴用の鋲に関する。
【０００２】
【従来の技術】
従来から静電気防止の靴は数多く開発されている。例えば、特開平６―１４１９０２号や特開２０００―１９９５０２号などある。しかし、これらは導電材料を用いて短絡して身体の静電気を大地に放電させるものである。
【０００３】
【発明が解決しようとする課題】
しかし、上記の公知例の前者は、導電板を履物の内部、底部に取付けるもので、放電効果はあるとしても、足に違和感があり実用性は認められない。また後者の公知例は、靴底にピンを埋め込むもので、簡単な構造であってその効果は疑わしい。
【０００４】
【課題を解決するための手段】
発明者はこの点に鑑み鋭意研究を続けた結果、本発明に到達したものであって、摩擦などで身体にたまる静電気は、ドアなどに触れたときにスパークして非常に恐ろしい思いをすること、また静電気が身体に溜まっている状態も健康に悪いといわれている。この身体に溜まる静電気を、身体と地面が常に本発明の靴底に設けた鋲によってアースさせる状態となっていて、静電気を常に地面に逃すことを第１の目的とする。
【０００５】
更に他の目的は、足の裏の幅方向の力が弱まった平らな足は開帳足といい、また足の指の力が弱まって踏ん張のきかない足といわれている外反母趾、あるいは浮き指足の原因となる中足骨の矯正を目的としたものである。
【０００６】
即ち、本発明の靴用の静電気防止鋲は、靴底中央に設けることによって、足裏を構成するために、足裏の中心にある中足骨（メタタサール）を保護するパットとなって足の健康を守ることを第２の目的とし、この２つの目的を同時に達成することとなり、使用者の安全と健康を守る役割を果す結果となる。
【０００７】
【発明の実施の形態】
添付図面により本発明の実施の形態を説明すると、図１は本発明の靴用の静電気防止鋲であって、この鋲は導電性ゴム製で、雄型Ｔ字体Ｙと、雌型Ｔ字体Ｘとより構成されていて、雌型Ｔ字体Ｙに対して、雄型Ｔ字体Ｘは、図示するように逆形に使用する。
【０００８】
この雌型Ｔ字体Ｙの縦線部を中空形とし、この中空部に雄型Ｔ字体Ｘの縦線部を挿入嵌合して一体の鋲として使用する。
【０００９】
図２は、本発明の鋲を靴に使用した実施例図であって、靴底の中央部に穴を明け、雌型Ｔ字体Ｙを中底側から穴に挿入し、靴の本底側から雄型Ｔ字体Ｘを雌型Ｔ字体Ｙの縦線部の中空部内に向けて挿入嵌合して一体とする。
【００１０】
したがって図２に示されている靴は、靴底の中央に内側と外側から導電性ゴムによって成形された鋲が一体となって貫通して装着されているため靴の内側にある鋲の頭は常に足裏に当り、靴底の外側にある鋲の頭は常に地面に接しているため、この靴を履いた場合には、身体に滞電している静電気は常時アースされている。
【００１１】
また足裏に当る側の雌型Ｔ字体Ｙの頭、即ち雌型Ｔ字体Ｙの横線部の頂面は円弧状に成形し、足裏の中足骨を常に押圧刺激するため開帳足を矯正する作用があって、偏平足や外反母趾、浮き指足の修正に効果がみられる。
【００１２】
【実施例】
図１において雌型Ｔ字体Ｙ及び雄型Ｔ字体Ｘはカーボン等の導電物質が混入された硬質ゴム製であって、雌型Ｔ字体Ｙの縦線部（２）は中空状に形成し、この中空部の中間位置に凹凸状の突起（５），（７）を設ける。この凹凸状の突起は詳しくは図示のように中空部の内側に凹部（５）を設け、これに対応する外側に凸部（７）を形成し、この凹部（５）に後述する雄型Ｔ字体Ｘの凸起（６）が係合する。
【００１３】
雌型Ｔ字体Ｙの横線部（１）の頂面（３）は円弧状に盛上げて形成している。
【００１４】
雄型Ｔ字体Ｘは雌型Ｔ字体Ｙに対して逆形に向けて使用する。そしてこの雄型Ｔ字体Ｘの縦線部（２）をＹ型Ｔ字体の縦線部（２）の中空部に挿入して一体とする。このため、この雄型Ｔ字体の縦線部の中位置には、前記雌型中空部の凹部（５）に係合する凸起（６）を設け、両者の挿入嵌合を確実なものとする。
【００１５】
雌型Ｔ字体Ｙの中空部と雄型Ｔ字体Ｘの縦線部（２）の長さの関係を示すと、図示するように中空部の長さｅとするとＸＴ字体の縦線部（２）の長さはｅ−αであって、両者を挿入嵌合して一体としたとき中空部にはα長さの空隙が残ることとなる。そして、この空隙αが靴を履いて歩いたときにクッションとなって、本発明の鋲を装着しても違和感がなくなるという作用を奏する。
【００１６】
図２は静電気防止鋲を装着した靴の実施例図である。符号（１０）は靴を形成する靴甲皮、（１１）は中底上面のインソール、（１２）は中底（ミッドソール）、（１３）は靴底表面のアウトソールを示す。この靴の中央に穴を明け、中底側から雌型Ｔ字体Ｙを挿入し、表底側から雄型Ｔ字体Ｘを挿入して一体として静電気防止靴を完成させる。
【００１７】
雄・雌Ｔ字体ＸＹの挿入に当っては、開口した穴の廻りを少し彫りながらＴ字体を挿入することによって接地・接足の感じがよく、特にクッション部αが形成されているため履き心地に違和感がなく、また上記のように靴底を削りながら挿入するため雨水の浸入の心配もない。
【００１８】
【発明の効果】
上述のように、本発明の靴用の静電気防止鋲は、靴底中央に雄型・雌型のＴ字体を向い合せて挿入嵌合させて設けているため常に接地されてアースされ、しかも両Ｔ字体は、中底側に設けるＴ字体Ｙは中足骨の矯正を目的とするため健康的で偏平足による体のバランスを調整し、健康マッサージ的な作用も有って、静電気防止と共に健康に留意する作用効果は極めて大である。
【図面の簡単な説明】
【図１】雌型Ｔ字体Ｙ・雄型Ｔ字体Ｘの説明図
【図２】靴の実施例図
【符号の説明】
１  Ｔ字体の横線部
２  Ｔ字体の縦線部
３  横線部の頂面
５、６、７  突起
【図１】
2004344464.tif 000003
【図２】
2004344464.tif 000004